(57)【要約】   本発明は、デジタルテキストドキュメントの容易な入手、ライセンス供与、レンダリングおよび表示のための包括的なインフラストラクチャである。本発明および本発明が提供するインフラストラクチャの基本原理は、一方がモバイルユニット（１１）でもう一方が基地局（１２）である２つの異なる装置間で行われるドキュメントの入手、ライセンス供与、レンダリングおよび表示など、電子読書に関わるプロセスの実行を分割することである。特に、デジタルテキストドキュメントを本発明が提供するインフラストラクチャ内で表示するように特別に設計されたモバイルユニットとして機能する、電子装置のコストおよびエネルギー効率の変形例である。【選択図】図１
2014500996.tif 000002
【特許請求の範囲】
【請求項１】
デジタルテキストドキュメントを入手してモバイル装置に表示するための包括的なシステムであって、前記モバイル装置は、以下の構成要素：  
−  電子テキストドキュメントを表示するためのモバイルユニットであって、
−  ディスプレイ、
−  メモリ、
−  マイクロコントローラ／ディスプレイ−コントローラ、
−  基地局へのインターフェース、および
−  エネルギー源
を備えるモバイルユニット、ならびに
−  基地局であって、少なくとも
−  データインターフェース、
−  データストレージ、
−  データ処理ユニット、
−  モバイルユニットへのインターフェース、および
−  エネルギー源
を備える基地局
を備え、
ドキュメントが、データインターフェースを介して基地局で受信され、前記基地局のデータストレージで保存され、ドキュメントのページは、前記基地局のデータ処理部において、モバイルユニットによって表示できるファイルフォーマットに変換され、前記モバイルユニットにおいて、前記ドキュメントは、インターフェースを介して前記モバイルユニット上で表示される、システム。
【請求項２】
前記モバイルユニットは、固有のＩＤと関連付けられて、表示されるドキュメントのライセンス供与およびアクセスの提供を可能にする、請求項１に記載のシステム。
【請求項３】
前記モバイルユニットは、電気泳動ディスプレイを含む、請求項１または２に記載のシステム。
【請求項４】
前記モバイルユニットは、タッチを感知するディスプレイ（タッチスクリーン）を含む、請求項１〜３のいずれか一項に記載のシステム。
【請求項５】
前記モバイルユニットは、１つ以上のドキュメントを保存するための不揮発性メモリを含む、請求項１〜４のいずれか一項に記載のシステム。
【請求項６】
基地局とモバイルユニットとの間の前記データインターフェースは、ワイヤレス技術によるものであり、データは、無線を介して前記基地局から前記モバイルユニットへ送信される、請求項１〜５のいずれか一項に記載のシステム。
【請求項７】
ドキュメントが、データインターフェースを介して前記基地局で受信され、前記基地局のデータストレージに保存され、ドキュメントのページは、前記基地局のデータ処理ユニットにおいて、モバイルユニットによって表示できるファイルフォーマットに変換され、前記モバイルユニットにおいて、前記ドキュメントは、インターフェースを介して前記モバイルユニット上で表示される、請求項１〜６のいずれか一項に記載のインフラストラクチャを用いて実行される、プロセス。
【請求項８】
前記基地局から前記モバイルユニットへ送信されるファイルが送信前に圧縮される、請求項７に記載のプロセス。  
【請求項９】
前記基地局から前記モバイルユニットへ送信されるファイルが送信前に暗号化され、前記モバイルユニット上で復号化される、請求項７または８に記載のプロセス。
【請求項１０】
前記モバイルユニットのナビゲーションが、遠隔のユーザインターフェースを介して前記基地局で確立される、請求項７に記載のプロセス。
【発明の詳細な説明】
【技術分野】
【０００１】
本発明は、デジタルテキストドキュメントをモバイル装置に表示するシステムについて記載するものである。本発明は、独国出願第１０２０１００５６０９３．６号の優先権を主張するものである。
【０００２】
本発明は、デジタルテキストドキュメントの容易な入手、ライセンス供与、レンダリングおよび表示のための包括的なインフラストラクチャである。本発明および本発明が提供するインフラストラクチャの基本原理は、一方がモバイルユニットでもう一方が基地局である２つの異なる装置間で行われるドキュメントの入手、ライセンス供与、レンダリングおよび表示など、電子読書に関わるプロセスの実行を分割することである。特に、本発明が提供するインフラストラクチャ内でデジタルテキストドキュメントを表示するように特別に設計されたモバイルユニットとして機能する、電子装置のコストおよびエネルギー効率の変形例について記載する。
【背景技術】
【０００３】
１．本発明の分野および背景技術
モバイル型の電子読書装置、いわゆる電子書籍リーダが、ここしばらく市場で入手可能になっている。電子書籍リーダの設計およびその技術の実装には、例えば装置のサイズ、表示技術およびメモリ容量など、考慮すべき多様な要素がある。一般に、電子書籍リーダは、いくつかのドキュメントを保存するための十分なメモリを備えている。電子書籍リーダは、例えばＵＳＢまたは無線など、他の電子装置への様々なインターフェースを具備している。そのほか、電子書籍リーダは、ユーザに対して多くのメニュー機能およびインタラクション機能を提供する。
【０００４】
あるいは、ノート型パソコンまたはスマートフォンのような従来のモバイル装置を、適切なソフトウェアをインストールすることによって電子書籍リーダとして使用することができる。テキストドキュメントは、例えばインターネット上の店での販売用に利用されたり、または前述のインターフェースを介して、例えばパーソナルコンピュータなどの別の電子装置から転送されたりすることができる。
【０００５】
ほとんどの場合では、デジタルテキストドキュメント（特に書籍）は、著作権またはその他の知的財産法によって保護されている。著作権侵害を防止するために、デジタルテキストドキュメントのユーザに権限を付与しなければならない。ユーザは、例えば固有のユーザＩＤを取得することができる。特定のユーザＩＤ（例えばＡｄｏｂｅ  ＩＤ）の下で入手される著作権保護されたデジタルテキストドキュメントは、同一ユーザＩＤに関連付けられた限定数の装置でしか開くことができない。デジタル著作権管理（ＤＲＭ）システムでは、デジタルコンテンツは、ユーザに配信される前に暗号化される。ユーザがドキュメントを読めるようになる前に、そのコンテンツはライセンス供与された後に復号化されなければならない。このプロセスは、「フルフィルメント」と呼ばれる。復号化用のライセンスおよびキーは、固有のユーザＩＤに関連付けられている。
【０００６】
ドキュメントをフルフィルメントした後、このドキュメントを、ディスプレイが読み込めるフォーマットに変換（レンダリング）する必要がある。通常、テキストドキュメント（ｐｄｆまたはｅ−ｐｕｂフォーマット）は、直接表示できるｇｉｆまたはｂｍｐのような画像ファイルに変換される。
【０００７】
フルフィルメントおよびレンダリングのプロセスは、電子書籍リーダ上で実行される。そのようなプロセスは、メモリおよび時間ならびにエネルギーも消費する。
【０００８】
２．先行技術の欠点
寿命、コストおよび価格：
ドキュメントのライセンス供与およびレンダリングに関する上記のプロセスは、時間およびエネルギーを消費するため、電子書籍リーダの総合的な性能は限られている。その上、相応の処理（ＣＰＵ）能力および十分なワーキングメモリが必要である。これらの目的を達成するためには、適切なハードウェアおよび技術的に優れたソフトウェアを適用しなければならない。そのような構成部品の数および特徴は、装置のコストに多大な影響を及ぼすため、電子書籍リーダを市販できる価格にも影響が出る。しかしながら、市場価格が高いと、潜在的な顧客は電子書籍リーダの購入を思いとどまってしまう。
【０００９】
読書の特性：
従来のモバイル装置（例えばノート型パソコンまたはスマートフォン）を使用して電子書籍およびテキストドキュメントを読むことは、安価な選択肢である。しかしながら、このような装置のディスプレイは、通常、いくつかのドキュメントまたはページを一度に読むための品質またはサイズが不十分である。その上、そのような装置は、ディスプレイだけでなくその装置で実行されるその他のプロセスにも多くのエネルギーを必要とする。これらの場合におけるバッテリの寿命は、通常あまりにも短いために外部のエネルギー源から独立した状態では書籍全体を読むことができない。そのため、読書および高い読書特性を目的とすると同時に、低エネルギー消費を目的とする特別に設計されたディスプレイにテキストを表示することが有益である。
【００１０】
ユーザビリティ：
多くの電子書籍リーダは、メニューナビゲーションおよびユーザインタラクションのような拡張機能を提供している。読書のためにそのような機能は必要ではなく、これらの機能はユーザをある程度混乱させることすらある。その上、これらの機能は、著しい量のエネルギーおよびメモリ容量を消費する。
【発明の概要】
【課題を解決するための手段】
【００１１】
仮定される技術水準および既存の技術対策に関連する欠点を基に、本発明は、より低コストで製造でき、それによってより低価格で市販できる電子書籍リーダを提供することに焦点を当てている。同時に、本発明が提供するモバイルユニットは、使用が容易になり、エネルギー消費および必要メモリの点で高効率になるであろう。これは、モバイルユニットを提供することによって達成され、このモバイルユニットは、必要な構成部品および機能性を最小限備えた新規なモバイル型電子装置である。このモバイルユニットは、包括的なインフラストラクチャの一部である：読書目的に直接役立つわけではないが必要である、テキストドキュメントの入手、ライセンス供与およびレンダリングのような機能は、基地局である第三者の装置にアウトソーシングされる。これを通して、デジタルテキストドキュメントの容易な入手および表示のための包括的なインフラストラクチャが導入される。
【図面の簡単な説明】
【００１２】
本発明の実施形態を以下の図面に示す。図面は、例のみを示すものであり、本発明の範囲を限定するものではないことに注意されたい。
【００１３】
【図１】デジタルテキストドキュメントの入手、レンダリングおよび表示を可能にする、本発明のモバイルユニットおよび基地局の包括的なインフラストラクチャを示す図である。
【図２】プリレンダリングした画像を受信し表示する役割を果たす最低限の構成要素を備える、本発明のモバイルユニットの基本構成要素を示す図である。図示した構成では、モバイルユニットを、低コストで生産でき、低エネルギー消費で作動させることができる。基地局へのインターフェースは、例えばブルートゥース無線などのワイヤレス方式で実現される。
【図３】本発明のインフラストラクチャを介するドキュメントの流れを示す図である。基地局を介して、書籍を購入するためにインターネット上でウェブショップにアクセスすることができる。基地局は、テキストドキュメントのライセンス供与およびレンダリングならびにプリレンダリングした画像のモバイルユニットへの転送を提供し、この場合は、ブルートゥース無線のインターフェースを介する。ユーザは、モバイルユニットと基地局とのユーザインターフェースを介してそのようなプロセスを制御する。
【図４】書籍をモバイルユニットに表示する前に実行される操作の例示的な図である。基地局では、モバイルユニット上で読む書籍リストから１冊の書籍を選択できる。モバイルユニットへの接続が構築されると（この場合はブルートゥースを介して）、ユーザは、書籍をモバイルユニットへダウンロードすることを選択できる。装置に書籍がなければ、選択した書籍はメモリに保存される。装置にすでに書籍があれば、ユーザは、メモリを上書きして新しい書籍を保存するどうかを尋ねられる。
【図５】テキストを読み、ページをめくる際に、モバイルユニットで実行される操作の例示的フローチャートである。２つのページめくりキーで異なるページめくり速度を提供できる。キーを特定時間にわたって押し続けると、速いページめくりが開始される。
【図６】基地局への無線（ブルートゥース）接続を確立するプロセスの例示的フローチャートである。モバイル装置のブルートゥースによるインターフェースは、特定のキーまたはキーを組み合わせて押すと開始される。装置がすでに基地局とペアリングされていれば、接続は動作する。ペアリングされていなければ、書籍のダウンロードなどを実施する動作接続を確立するために、基地局とモバイルユニットとの間をペアリングプロセスが開始されなければならない。
【発明を実施するための形態】
【００１４】
本発明は、デジタルテキストドキュメントをモバイル装置に表示するための包括的なインフラストラクチャを提供する。請求項１によれば、本発明が提供するシステムは、以下の構成要素：
−  モバイルユニットであって、
−  ディスプレイ、
−  メモリ、
−  マイクロコントローラ／ディスプレイ−コントローラ、
−  基地局へのインターフェース、および
−  エネルギー源
を備えるモバイルユニット、ならびに
−  基地局であって、少なくとも
−  データインターフェース、
−  データストレージ、
−  データ処理ユニット、
−  モバイルユニットへのインターフェース、および
−  エネルギー源
を備える基地局
を備える。
【００１５】
請求項１に記載の本発明および本発明が提供するシステムの基本原理は、一方がモバイルユニットでもう一方が基地局である２つの異なる装置間で行われるドキュメントの入手、ライセンス供与、レンダリングおよび表示など、電子書籍リーダに関わるプロセスの実行を分割することである。新規なモバイル装置をモバイルユニットとして作動させる。このモバイル装置は、テキストを表示する一方で、エネルギー消費および必要メモリが最低限であることを特徴とするように特別に設計されている。
【００１６】
２つの異なる装置間で行われるドキュメントの入手、ライセンス供与、レンダリングおよび表示のような、電子書籍リーダに関わるプロセスの実行を分割すると、先行技術と比較して多くの利点が生じる。
【００１７】
本発明のモバイルユニットは、エネルギー消費が低く、生産コストが低い最低限の構成要素のみを備えている。表示ユニットは、テキストの表示用に最適化され、テキストの読書に必要のない他の機能は搭載されていない。こうすると、このような機能に対して無駄になるエネルギーがない。このようにすると、読書に利用できるバッテリの寿命を飛躍的に延長させることができる。
【００１８】
本発明が提供する、デジタルテキストドキュメントの入手および表示のためのインフラストラクチャを完成させるのに必要な基地局は、広く使用されている電子装置とすることができる。デジタルテキストドキュメントを受信するためには、インターフェースを備える必要がある。これは、ドキュメントを発信できる別の電子装置へ接続している任意のタイプの有線またはワイヤレス接続とすることができる。特に、通信ネットワーク（インターネットなど）への接続が望ましい。インターネット接続により、ドキュメントを購入または取得できるウェブショップおよびその他のプラットフォームの使用が可能になる。任意の特定の方法で基地局が受信したドキュメントをその基地局に保存することができる。
【００１９】
基地局は、指定ユーザがアクセスできるように、ドキュメントをフルフィルメントしレンダリングするという必要な動作を実行する能力がある。
【００２０】
当然ながら、基地局は、一般的に任意に利用可能なエネルギー源を備えている必要がある。
【００２１】
基地局は、モバイル装置であってもよい。その上、すでにユーザの手にある、例えばスマートフォンまたはタブレット型のパーソナルコンピュータなどの電子装置であって、ドキュメントを受信し、保存し、処理し、送信する能力のあるものは、基地局として機能して、本発明が提供するシステムを実行することができる。
【００２２】
図１は、本発明が提供するシステムの基本的なアーキテクチャを示す。
【００２３】
モバイルユニット（１１）は、テキストドキュメントの各ページを表示する役割を果たす。そのため、モバイルユニットは、ディスプレイおよびディスプレイ制御ユニット（マイクロコントローラ）、データストレージ（メモリ）、基地局へのインターフェース、ならびにエネルギー源を含む。モバイルユニットに含まれる構成部品の正確な記載を以下に記す（図２）。
【００２４】
基地局（１２）は、基地局のデータインターフェースを介してインターネット（１３）からテキストドキュメントを受信し、このデータインターフェースを介してドキュメントをモバイルユニット（１４）に送信する能力がある。基地局は、データを処理して保存する能力を備えている。ドキュメントは、例えばｐｄｆファイル、ｅｐｕｂファイルまたはテキストファイルなどの様々なフォーマットで受信され、保存されることができる。ドキュメントをモバイルユニットに送信する前に、表示可能なフォーマットにドキュメントをレンダリングしなければならない。通常これらは、画像フォーマットである。利用可能なストレージ容量に応じて、ｇｉｆ（ｇｒａｐｈｉｃｓ  ｉｎｔｅｒｃｈａｎｇｅ  ｆｏｒｍａｔ）、ｐｎｇ（ｐｏｒｔａｂｌｅ  ｎｅｔｗｏｒｋ  ｇｒａｐｈｉｃｓ）またはｂｍｐ（ｂｉｔｍａｐ）ファイルを使用できる。基地局からモバイルユニットへのデータ転送を加速するために、画像ファイルを追加で圧縮することができる。これによって、モバイルユニットにデータを保存するのに必要なメモリも減る。セキュリティ性を高めるために、転送前にデータを暗号化することもできる。
【００２５】
とりわけ上記の特徴を提供するパーソナルコンピュータ（ＰＣ）またはスマートフォンは、本発明が提供するシステム内で基地局として動作できる。
【００２６】
本発明のシステムを実装するため、ウェブショップの既存のインフラストラクチャおよびそのようなウェブショップにも電子書籍リーダにも接続できる電子装置を使用し、デジタルテキストドキュメントの入手および転送用に最適化することができる。
【００２７】
デジタルテキストドキュメントを入手し、表示するための本発明のシステムは、本明細書に記載する、テキスト表示用に特別に設計された新規のモバイルユニットを以て完成する。
【００２８】
モバイルユニットに用いる構成要素を図２に示し、以下にさらに詳細に説明する。
【００２９】
ディスプレイ（２１）：
モバイルユニットに用いるディスプレイ技術は、テキストの表示に適用可能な任意の技術とすることができる。本発明の主な目的、すなわちエネルギー効率および生産コストの削減は、電子ペーパーまたは電子インクディスプレイとも呼ばれる電気泳動ディスプレイを使用することで達成することができる。このようなディスプレイは、電気を使用することなくテキストおよび画像を無限に保持することができ、表示コンテンツが変わるとき（すなわちページを繰るとき）に電荷が使用されるだけである。電子インクディスプレイの消費電力は著しく低いため、このディスプレイは本発明のモバイルユニットで使用するのに好適な技術になる。
【００３０】
入力素子（２２）：
ユーザインタラクションは、モバイルユニットに適当なキーまたはボタンを具備することで実現でき、ページを進めるまたは戻すための２つのみがあることが好ましい。装置のスイッチをオン・オフにしたり（電子インクのディスプレイは、ページ繰りが行われないかぎり基本状態ではオフになっているため、電源スイッチが必要ないことが理想である）、ブルートゥース接続を設定したりするのに、その他のユーザ入力が必要になることがあるかもしれない。そのため、追加のボタンまたはキーを実装してもよい。ページめくりボタンを押すことができる様々な方法（長押し、短押し、両方のキーを同時に押すなど）に様々な入力指示を割り当てることによって、追加のキーをなしにすることも可能である。
【００３１】
タッチスクリーンまたはタッチパッドを実装して、ユーザインタラクションの区別を一層向上させるユーザ入力を受けることも考えられる。
【００３２】
ＣＰＵおよびディスプレイコントローラ（２３）：
データの処理（例えばドキュメントの受信、ユーザ入力の扱い）は、ディスプレイコントローラを搭載している（またはディスプレイコントローラと直接通信する）マイクロコントローラによって実行される。
【００３３】
電気泳動ディスプレイを使用すれば、表示コンテンツが変わらないかぎりエネルギーを消費しないため、モバイルユニットをユーザがスイッチオフする必要はない。この事実により、モバイルユニットを作動させるためのオペレーティングシステムは必要ない。そのため、装置の起動または再起動は必要ではなく、装置を即座に使用でき、ここでもまた時間およびエネルギーの節約ができる。
【００３４】
メモリ（２４、２５）：
モバイルユニットは、メモリ用の構成部品を含み、好ましくは、受信したテキストドキュメントをロードし、解凍し、表示するために実行するのに必要なコードを提供する低コストのＣＰＵ（２４）の一部として含む。このほか、装置を明確に識別し、上記の著作権保護が可能になるように、固有のユーザＩＤまたは装置ＩＤを記録することができる。
【００３５】
別のメモリ用構成部品（２５）を備えて、装置で表示する前にいくつかの受信画像ファイルを保存することができる。この装置は、例えば内蔵型または取り外し可能なＳＤカードとすることができる。
【００３６】
エネルギー供給（２６）：
エネルギー源の最も単純な実装形態は、アルカリ電池、コンデンサまたは好ましくは充電式電池とすることができる。電池を充電するために、ケーブルを介してまたは電磁誘導を介したコードレスで、電源への接続を提供する。モバイルユニットには、電池を充電するまたは直接エネルギーを供給する役割を果たす太陽電池を具備することが好ましい。
【００３７】
データインターフェース（２７）：
データ（すなわちテキストドキュメントや画像ファイル）は、適切なインターフェースを介して基地局からモバイルユニットへ送信される。考えられる技術としては、パラレルインターフェースもしくはシリアルインターフェースまたは無線接続（例えばＷＬＡＮまたはブルートゥース）などがある。
【００３８】
ケースデザイン：
本発明が提供するモバイルユニットは、物理的な開口部（キー、インターフェースなど）は備えていないことが好ましく、それによって、粉塵の多い環境、砂の多い環境または湿った環境で装置を使用できる気密性のケースデザインになる。
【００３９】
使用例
図３では、本発明が提供するインフラストラクチャを流れるドキュメントをハイライトしている。
【００４０】
ユーザは、上記のとおり、インターネットおよびモバイルユニットに接続されている基地局を所有している。基地局およびモバイルユニットは、両方とも、ユーザに割り当てられている同一のユーザＩＤに関連付けられている。ユーザは、基地局およびモバイルユニットを、それぞれのユーザインターフェース（３３）を用いて操作する。基地局を介してユーザは、ウェブショップ（３１）にアクセスし、そこでユーザは書籍を購入でき、その後この書籍は、書籍コレクション（３２）に追加される。電子書籍は、ｅｐｕｂファイルとしてフォーマットされる。モバイルユニットのユーザインターフェース（３３、たとえばボタン）を介して、ユーザは、モバイルユニットと基地局との間でブルートゥース通信を開始する。書籍は、モバイルユニットに転送される前に基地局でレンダリングされ（３５）、必要であれば装置のユーザＩＤにライセンス供与される。書籍のレンダリングおよびライセンス供与の後、ページはモバイルユニットに転送され、このユニットのメモリ（３６）に保存され、表示される（３７）。
【００４１】
図４は、書籍が表示される前に基地局およびモバイルユニットで実行されるユーザインタラクションおよび操作の例示的フローチャートを示す。
【００４２】
ユーザが基地局でｅｐｕｂファイルを保存した後、例えば書籍リスト（４１）を介してアクセスできる。ユーザは、モバイルユニットへの転送を可能にしてフルフィルメントおよびレンダリングプロセスの役割を果たすアプリケーションを開始できる。「モバイルユニットで読む」（４２）を選択すると、基地局は、モバイルユニットへの接続を試行し、動作接続が確立されれば（４３）ダウンロードプロセス（Ａ）を開始する。ダウンロードが実行される前に、モバイル装置のコンテンツをチェックする（４４）。選択した書籍がすでに装置にあれば（「同一書籍」）、ダウンロードされない（Ｂ）。装置に書籍がないまたは同一書籍が不完全な形で装置にあれば、足りないページがダウンロードされる（４５）。さらに１つ以上の書籍がすでに装置にあり、すべての書籍を保有するためのメモリが不十分であれば、ユーザは、ダウンロードが始まる前に、１つ以上の書籍（４６）の上書きを承認することを求められる。
【００４３】
レンダリングプロセスの間、ドキュメントの各ページは、画像ファイルに変換される。ユーザは、例えばドキュメントをレンダリングするフォントサイズを決定できる。続いて画像ファイルは、ブルートゥースのポートを介して基地局からモバイルユニットへ送信される。
【００４４】
図５は、基地局への無線（ブルートゥース）接続を確立する例示的なプロセスのフローチャートを示す。モバイル装置のブルートゥースインターフェースは、特定のキーまたはキーの組み合わせて押すと（５１）開始される。装置がすでに基地局とペアリングされていれば（５２）、接続は動作する。ペアリングされていなければ、書籍のダウンロードなどを実施する動作接続を確立するために、基地局とモバイルユニットとの間をペアリングプロセスが開始されなければならない（５３）。
【００４５】
新たなドキュメントの最初のページは、モバイルユニット（５４）のディスプレイに直ちに表示される。他のページはすべてモバイルユニットのメモリに保存され、ユーザがモバイルユニットのキーを押すかタッチスクリーンの上をスワイプしてページ繰りを要求すると、表示される。ユーザが既存の書籍を読み続けると、最終ページが表示される（５５）。
【００４６】
図６は、テキストを読み、ページをめくる際に、モバイルユニットで実行される操作の例示的なフローチャートを示す。この方式では、モバイルユニットは、基地局から独立して使用されることができる。
【００４７】
２つのページめくりキーで、次のページまたは前のページにページをめくることができる（６１）。ページめくりキーは、異なるページめくり速度を提供できることが好ましい（６２）。例えば：キーを１回押すとページ繰りが開始され、ページが繰られた後にキーを押し続けると、速いページめくりが開始され、この状態では、ページはキーを離すまでページは繰られている。速いページめくりを、キーを特定の時間、例えば１秒よりも長く押したままにしたときに開始することもできる。
【００４８】
最も単純な構成では、モバイルユニットは、メニュー機能を提供しない。この場合、装置は、１つの書籍および１ページを順次表示できるだけである。別の書籍を読むためには、基地局からモバイルユニットに新たな書籍を送信する際に、メモリを上書きする。
【００４９】
基地局でリモートメニュー機能を実施するために、アプリケーションを提供することもできる。パーソナルコンピュータまたはスマートフォンのディスプレイ上では、モバイルユニットの機能と一致するグラフィックユーザインターフェース（ＧＵＩ）を示すことができる。このＧＵＩへ入力すると、該当する指示がモバイルユニットに送信され（例えば短い範囲の無線を介して）、このモバイルユニットで指示が実行される。
【図１】
2014500996.tif 000003
【図２】
2014500996.tif 000004
【図３】
2014500996.tif 000005
【図４】
2014500996.tif 000006
【図５】
2014500996.tif 000007
【図６】
2014500996.tif 000008
【国際調査報告】
2014500996.tif 000009
2014500996.tif 000010
2014500996.tif 000011